(57)【要約】【課題】  基板ケースの開封の痕跡を明瞭に残しつつ開封回数を容易に把握できるとともに、封止構造の省スペース化を図ることができる。【解決手段】  所定の回路基板２を収容する開閉可能な遊技機用基板ケース１であって、当該遊技機用基板ケース１を開閉不能に封止する封止構造を備え、封止構造が、当該遊技機用基板ケースに形成された封止部３１，４１と、封止部３１，４１に装着されることで遊技機用基板ケース１を封止する係止具５と、からなり、係止具５が、封止構造の封止解除に際してその一部が破壊されるとともに、破壊により分断される切離部５１を備え、封止部４１が、分断された切離部５１が取り出し不能かつ外部から視認可能に収納される収納室４１２を備える構成としてある。【選択図】      図３
2008154692.tif 000002
【特許請求の範囲】
【請求項１】
所定の回路基板を収容する開閉可能な遊技機用基板ケースであって、
当該遊技機用基板ケースを開閉不能に封止する封止構造を備え、
前記封止構造が、
前記遊技機用基板ケースに形成された封止部と、前記封止部に装着されることで当該遊技機用基板ケースを封止する係止具と、からなり、
前記係止具が、前記封止構造の封止解除に際してその一部が破壊されるとともに、当該破壊により分断される切離部を備え、
前記封止部が、前記分断された切離部が取り出し不能かつ外部から視認可能に収納される収納室を備えることを特徴とする遊技機用基板ケース。
【請求項２】
前記収納室が、前記分断された切離部が通過可能な通路を備え、
前記切離部が、前記通路に連なって収納される請求項１記載の遊技機用基板ケース。
【請求項３】
前記遊技機用基板ケースが遊技機に配設された状態において、
前記収納室が、重力が作用する方向に空間をもって形成され、
前記分断された切離部が自重により落下して、前記収納室に収納される請求項１又は２記載の遊技機用基板ケース。
【請求項４】
前記係止具の切離部が、所定の色に彩色された請求項１〜３のいずれか一項に記載の遊技機用基板ケース。
【請求項５】
前記切離部が、丸形に形成された請求項１〜４のいずれか一項に記載の遊技機用基板ケース。
【発明の詳細な説明】
【技術分野】
【０００１】
本発明は、回路基板を収容する遊技機用の基板ケースに関し、特に、基板ケースを開封不能に封止する封止構造の省スペース化を図る基板ケース構造の改良に関する。
【背景技術】
【０００２】
一般に、スロットマシンやパチンコ機等の遊技機には、ゲーム性を支配するとともに遊技機の全体を制御する主基板が備えられている。
主基板は、コンピュータを構成するプリント回路基板であり、ＣＰＵ，ＲＯＭ，ＲＡＭ等の種々の電子部品で構成されている。
そして、この主基板は、不正改造の対象となりやすいため、これを外部と遮断して覆う基板ケースに収容されているとともに、この基板ケースには、基板ケースの開封を防止する封止構造が設けられている。
【０００３】
この封止構造は、主基板の不正改造等の検査のために、開封と再封止を繰り返し行うことができるように、複数の封止構造が設けられており、開封するときは、一の封止構造を、汎用の工具等で破壊し、再封止するときは、新たな封止構造を用いて封止することができるようになっているのが一般的である。
このような基板ケースの封止構造は、例えば、特開２００６−１８０９６３号の「遊技機の基板ケース装置」（特許文献１）や、特開２００６−３４６０８号の「遊技機の制御基板ケース」（特許文献２）等、従来から多数提案されている。
このように封止構造を複数設けることで、開封した場合に、開封の痕跡を明瞭に残すことでき、不正による開封を抑止する効果がある。
【０００４】
【特許文献１】特開２００６−１８０９６３号公報（第１２頁、第３図）
【特許文献２】特開２００６−３４６０８号公報（第１３頁、第３図）
【発明の開示】
【発明が解決しようとする課題】
【０００５】
しかしながら、このような封止構造では、開封と再封止を繰り返し行うことができるよう封止構造を複数設ける必要があるため以下のような弊害が生じていた。
まず、複数の封止構造は全て同様な形状から構成されているため、開封によって破壊されているか否かは、一見では判別が困難であり、不正による開封の痕跡を見過ごす虞があった。
【０００６】
また、検査のために開封した履歴は、常に管理しておかなければならないため、履歴と開封箇所の整合を図る必要がある。
この場合においても、複数の封止構造が同様な形状の構成からなるため、開封された箇所を数える際に、瞬時に開封回数を把握することができなった。
【０００７】
さらに、複数の封止構造を設けなければならないため、基板ケースの上下・左右等に封止構造のための多くのスペースを確保しなければならなかった。
特に、主基板を含む回路基板は、遊技機の外観的な見栄えには関与しない内蔵部品であるため、省スペース化の要請があるにも拘わらず、封止構造のために多くのスペースを設けなければならず、コンパクト化の妨げとなっていた。
【０００８】
本発明は、上記の弊害を解決するためになされたものであり、開封の痕跡を明瞭に残しつつ、開封回数を容易に把握できるとともに、封止構造の省スペース化を図る遊技機用基板ケースの提供を目的とする。
【課題を解決するための手段】
【０００９】
上記目的を達成するため、本発明の遊技機用基板ケースは、請求項１に記載するように、所定の回路基板を収容する開閉可能な遊技機用基板ケースであって、当該遊技機用基板ケースを開閉不能に封止する封止構造を備え、前記封止構造が、前記遊技機用基板ケースに形成された封止部と、前記封止部に装着されることで当該遊技機用基板ケースを封止する係止具と、からなり、前記係止具が、前記封止構造の封止解除に際してその一部が破壊されるとともに、当該破壊により分断される切離部を備え、前記封止部が、前記分断された切離部が取り出し不能かつ外部から視認可能に収納される収納室を備える構成としてある。
【００１０】
このような構成からなる本発明の遊技機用基板ケースによれば、封止解除の際に分断された切離部が、収納室に収納されるため、基板ケース開封の痕跡が明瞭に残るとともに収納された切離部の個数を計数することで、基板ケースの開封回数を容易に把握することができる。
また、切離部が、一括して収納室に収納されるため、視点を分散することなく、収納室のみに注視して、基板ケースの開封回数を瞬時に把握することができる。
さらに、切離部が取り出し不能に収納室に収納されるため、切離部を取り出し開封回数をごまかすような不正を排除することができ、基板ケースの開封回数と切離部の個数との整合性が図られる。
また、封止解除の際に、係止具は破壊されるが、基板ケースに形成された封止部が破壊されず、新たな係止具を装着するだけで、再封止することができる。
このため、封止部は一つで足り、複数の封止構造を設ける必要がなくなり、基板ケースの省スペース化を図ることができる。
【００１１】
また、請求項２記載の遊技機用基板ケースは、前記収納室が、前記分断された切離部が通過可能な通路を備え、前記切離部が、前記通路に連なって収納される構成とすることができる。
このような構成とすることにより、切離部が、通路に連なって収納されるため、切離部の計数を迅速に行うことができ、基板ケースの開封回数の把握が、更に容易になる。
【００１２】
また、請求項３記載の遊技機用基板ケースは、前記遊技機用基板ケースが遊技機に配設された状態において、前記収納室が、重力が作用する方向に空間をもって形成され、前記分断された切離部が自重により落下して、前記収納室に収納される構成とすることができる。
このような構成とすることにより、切離部が自重により落下して、収納室に収納されるため、切離部が収納室において、散乱されることなく堆積されることとなり、特に上述したような、連なって収納される場合に適している。
【００１３】
また、請求項４記載の遊技機用基板ケースは、前記係止具の切離部が、所定の色に彩色された構成とすることができる。
このような構成とすることにより、係止具の切離部ごとに色彩が替えることができる。これにより、特に開封回数が多くなった場合には、多数の切離部が収納室に収納されるため、色数又は色彩別に切離部を計数することで、容易に、基板ケースの開放回数を把握することができる。
【００１４】
また、請求項５記載の遊技機用基板ケースは、前記切離部が、丸形に形成された構成とすることができる。
このような構成とすることにより、切離部が、丸形に形成されることで、収納室に収納された複数の切離部間の干渉が緩和され、収納室の収納力が高まり、収納室をコンパクトに形成することができる。
また、切離部を球形にすることもでき、収納室を更にコンパクトに形成することができるとともに、この場合には、切離部が重力を受けて、転がり自走又は落下することになり、切離部を目的とする収納箇所に容易に導くことができる。
【発明の効果】
【００１５】
本発明の遊技機用基板ケースによれば、開封の痕跡を明瞭に残しつつ、開封回数を容易に把握できるとともに、封止構造の省スペース化を図ることができる。
【発明を実施するための最良の形態】
【００１６】
以下、本発明に係る遊技機用基板ケースの好ましい実施形態について、図１〜図６を参照して説明する。
［第一実施形態］
まず、図１〜図４を参照して、本発明の第一実施形態に係る遊技機用基板ケースの構成について説明する。
図１は、本実施形態に係る遊技機用基板ケースを示す概略斜視図であり、図２は、同じく遊技機用基板ケースが遊技機に配設された状態を示す概略斜視図である。
また、図３は、本実施形態に係る封止構造の概略断面図であり、図４は、本実施形態に係る収納室の概略平面図である。
これらの図に示すように、本実施形態の遊技機用基板ケースは、遊技機全体を制御する主基板２を収容する主基板ケース１に適用しており、この主基板ケース１が配設される遊技機には、スロットマシン１００を適用するものとする。
適用するスロットマシン１００は、前扉１０１と前扉１０１を開閉自在に支持する筐体１０２から構成される公知の回胴式遊技機であるため、詳細な内部構成に関する説明は省略する。
【００１７】
主基板ケース１は、スロットマシン１００全体を制御し、所定の電子部品の実装された主基板２と、主基板２を収容する上側ケース３及び下側ケース４と、本発明に係る係止具５から構成されている。
上側ケース３及び下側ケース４は、互いに開閉可能に嵌合することで主基板２が収容されるように構成されている。
以下に、各部材の構成について詳述する。
【００１８】
［上側ケース］
まず、上側ケース３は、後述する下側ケース４と嵌合されることで、ケース構造を構成する部材である。
上側ケース３は、図１に示す例では、凹室を有する箱体形状に形成され、主基板２の部品実装面を覆うとともに、主基板２が外部から視認可能となるように無色透明な合成樹脂等より形成されている。
この上側ケース３の上面には、主基板２に実装されたコネクタを外部に露出させるための開口部が設けられている。
そして、上側ケース３の側壁手前右側には、後述する下側ケース４に設けられた封止部４１と対になって、主基板ケース１を封止する本発明に係る封止構造の封止部３１が設けられている。
封止部３１には、後述する係止具５の切離部５１が貫通可能で、係止具５の頭部５３が貫通不可となる封止孔３１１が穿設されている。
また、上側ケース３の側壁手前左側には、取付孔３２が設けられている。
取付孔３２は、後述する下側ケース４に設けられた取付穴４４と対になって、ネジにより螺着され、主基板２を収容した状態で、上側ケース３と下側ケース４を固着するようになっている。
さらに、上側ケース３の側壁後方には、後述する下側ケース４に設けられた軸部４２と対になってヒンジを形成する軸受が形成されている（図示しない）。このヒンジにより、上側ケース３と下側ケース４を開閉可能に支持するようになっている。
また、上側ケース３の側壁底面は、後述する下側ケース４の側壁上面に隙間なく当接するとともに、その内周には、後述する下側ケース４の側壁に設けられた内周壁４３と嵌合する凹部３３が形成されており、これらにより、主基板ケース１内に外部からの侵入を妨げることができるようになっている（図３参照）。
【００１９】
［主基板］
次に、主基板２は、図１に示すように、種々の電子部品が実装されたプリント回路基板であり、表側は、ＣＰＵ，ＲＡＭ，ＲＯＭ，クロック発生回路，乱数発生回路や各種周辺回路とのインターフェイス回路などが実装された部品実装面と、裏側は、主にプリントパターンで形成され、上記電子部品の半田接合面となる半田面から構成されている。
【００２０】
主基板２は、図２に示すように、主基板ケース１に収容された状態で、スロットマシン１００の筐体１０２奥壁に配設されており、部品実装面が表面となるように筐体１０２の開口側に向けて配設されているとともに、半田面は、スロットマシン１００の筐体１０２奥壁と対向するように配設されているようになっている。
主基板２の四隅には、後述する下側ケース４の止着ボス４５にネジ止めにより主基板２を螺着させるための止着孔２１が穿設されている。
【００２１】
［下側ケース］
次に、下側ケース４は、前述した上側ケース３と嵌合されることで、ケース構造を構成する部材である。
下側ケース４は、図１に示す例では、上面側を開口した凹状の箱体形状に形成され、主基板２の半田面を覆うとともに、主基板２が外部から視認可能となるように無色透明な合成樹脂等より形成されている。
そして、下側ケース４の側壁手前右側には、前述した上側ケース３に設けられた封止部３１と対になって、主基板ケース１を封止する本発明に係る封止構造の封止部４１が設けられている。
封止部４１には、図３に示すように、後述する係止具５の切離部５１が貫通可能な封止孔４１１が穿設されているとともに、内部には、後述する係止具５の切離部５１を収納する本発明に係る収納室４１２が形成されている。
【００２２】
そして、収納室４１２は、主基板ケース１がスロットマシン１００に配設された状態において、重力が作用する方向に所定の空間をもって形成されている（図２参照）。
さらに、収納室４１２は、収納された後述する係止具５の切離部５１を外部から視認可能となるように無色透明に形成されているとともに、封止孔４１１を除き四方を壁で囲むように形成されている。
また、この収納室４１２には、後述する係止具５の切離部５１に形成された段部５１ａに係合され、係止具５の切離部５１が封止孔４１１より挿入されることで、弾性をもって撓む爪部４１２ａが設けられている。
この爪部４１２ａが、収納された後述する係止具５の分断された切離部５１が封止孔４１１から取り出されないように阻止し、分断された切離部５１が取り出し不能となるように形成されている（図４参照）。
【００２３】
また、下側ケース４の側壁手前左側には、取付穴４４が設けられている。
取付孔４４は、前述した上側ケース３の取付孔３２と対になって、ネジにより螺着され、主基板２を収容した状態で、上側ケース３と下側ケース４を固着するようになっている。
また、下側ケース４の底面四隅には、前述した主基板２に設けられた止着孔２１と対応するように止着ボス４５が形成されている。
止着ボス４５には、ネジ止めのための取付穴が穿設されており、主基板２の止着孔２１を介して、ネジ止めにより、主基板２を下側ケース４に固着できるようになっている。
【００２４】
さらに、下側ケース４の側壁後方には、前述した上側ケース３に設けられた軸受と対になってヒンジを形成する軸部４２が形成されている。前述したように、このヒンジにより、上側ケース３と下側ケース４を開閉可能に支持するようになっている。
また、下側ケース４の側壁上面は、前述した上側ケース３の側壁底面に隙間なく当接するとともに、その内周には、前述した上側ケース３の凹部３３と嵌合する内周壁４３が形成されている。
【００２５】
［係止具］
次に、係止具５は、本発明に係る封止構造の一部を構成し、上側ケース３の封止部３１と下側ケース４の封止部４１に装着されることで、上側ケース３と下側ケース４を開封不能に封止するとともに、係止具５の一部が破壊されることで封止を解除することができる部材で、封止状態の有無を明らかにするために有色な合成樹脂等より形成されている。
この係止具５は、図３に示す例では、基板ケース外部より係止具５を上下に切断可能とする比較的脆弱な部分からなる切断部５２と、切断部５２を境に上側には前述した上側ケース３の封止孔３１１に貫通不能な頭部５３と、下側には切断部５２が切断されることにより分断され、前述した下側ケース４の収納室４１２に収納される丸形形状の切離部５１が設けられている。
この係止具５が上側ケース３の封止部３１と下側ケース４の封止部４１に装着されることで、上側ケース３と下側ケース４を開封不能に封止する封止構造は、以下のようになっている。
【００２６】
図３に示すように、主基板２を下側ケース４にネジ止めにより螺着して収容し、上側ケース３と下側ケース４を嵌合させた状態において、まず、係止具５を、上側ケース３に設けられた封止部３１の封止孔３１１より挿入する。
さらに、挿入を続けることで、切離部５１が、下側ケース４に設けられた封止部４１の封止孔４１１に挿入されるとともに、封止部４１の収納室４１２に入室する。
そして、収納室４１２の爪部４１２ａが、切離部５１の挿入により弾性をもって撓み、切離部５１の段部５１ａが収納室４１２の爪部４１２ａに到達したときに、収納室４１２の爪部４１２ａが弾性により復元され、収納室４１２の爪部４１２ａと切離部５１の段部５１ａが係合するようになっている。
このとき、頭部５３の裏面が、上側ケース３の封止孔３１１の周縁に当接し、上側ケース３と下側ケース４は、開封不能に封止される。
このような封止構造により、主基板２は、主基板ケース１より開閉不能に封止されることになるため、不正改造等の不正行為より、保護されることとなる。
【００２７】
続いて、封止構造の封止解除については、以下のようになっている。
封止構造の封止解除は、係止具５の一部を破壊して行うが簡単に破壊できないときには、図３に示すように、上側ケース３の封止部３１の底面と下側ケース４の封止部４１の上面との間に形成された隙間より、カッター等の切断用の工具を挿入し、比較的脆弱に形成された切断部５２を切断することができるようになっている。
この結果、係止具５の頭部５３と切離部５１は分断され、係止具５の頭部５３は主基板ケース１外部から取り外すことができるとともに、分断された切離部５１は、下側ケース４の収納室４１２に取り出し不能かつ外部より視認可能に収納される。
これにより、係止具５による上側ケース３と下側ケース４の係合は解除され、封止構造が封止解除される。
【００２８】
なお、係止具５は、上述したように封止解除により破壊される部材であるが、新たな係止具５が複数用意されている。
新たな係止具５は、主基板ケース１の外側等に予備の係止具５として仮設しておくこともできる。
一方、上側ケース３の封止部３１及び下側ケース４の封止部４１は、封止解除により破壊されず、形状も不変であるため、新たな係止具５を用いることで再封止が可能である。
これにより、封止部３１，４１は一つで足り、複数の封止構造（封止部）を設ける必要がなくなり、主基板ケース１の省スペース化を図ることができる。
【００２９】
［切離部の収納］
封止解除により分断された係止具５の切離部５が、下側ケース４の収納室４１２に収納される状態について以下に説明する。
封止解除により分断された切離部５１は、図４に示すように、下側ケース４の収納室４１２に収納される。
図４は、封止及び封止解除を繰り返し、切離部５１が下側ケース４の収納室４１２に複数収納されている状態を示している。
同図が示す例では、係止具５の切離部５１が五個収納されているため、封止解除回数は５回であることが、瞬時に把握することができる。
【００３０】
このように封止解除の際に分断される係止具５の切離部５１が、収納室４１２に収納されるため、基板ケース開封の痕跡が明瞭に残るとともに収納された切離部５１の個数を計数することで、主基板ケース１の開封回数を容易に把握することができる。
また、一括して下側ケース４の収納室４１２に収納されるため、視点を分散することなく、下側ケース４の収納室４１２のみに注視して、収納された係止具５の切離部５１を計数することで、主基板ケース１の開封回数を瞬時に把握することができる。
また、前述したように係止具５の切離部５１が取り出し不能かつ外部から視認可能に下側ケース４の収納室４１２に収納されるため、係止具５の切離部５１を取り出し開封回数をごまかすような不正を排除することができ、主基板ケース１の開封回数と係止具５の切離部５１の個数との整合性が図られる。
【００３１】
また、下側ケース４の収納室４１２は、前述したように、主基板ケース１がスロットマシン１００に配設された状態において、重力が作用する方向に所定の空間をもって形成されているため（図２参照）、分断された切離部５１は、重力の作用により、図４の下方に向けて落下し堆積するようになっている。
これにより、分断された係止具５の切離部５１が自重により落下して、下側ケース４の収納室４１２に収納されるため、係止具５の切離部５１が下側ケース４の収納室４１２において、散乱されることなく堆積されることとなる。
さらに、係止具５の切離部５１は、前述したように丸形形状に形成されているため、収納された状態において、複数の係止具５の切離部５１間の干渉が緩和され、下側ケース４の収納室４１２の収納力が高まり、下側ケース４の収納室４１２をコンパクトに形成することができる。
【００３２】
なお、本実施形態では、係止具５の切離部５１を丸形ではあるものの円筒形としたが、半球形や球形にすることもでき、これにより、下側ケース４の収納室４１２を更にコンパクトに形成することができるとともに、球形にした場合には、係止具５の切離部５１が重力を受けて、転がり自走又は落下することになり、係止具５の切離部５１を目的とする収納箇所に容易に導くこともできる。
また、本実施形態では、係止具５の切離部５１の色彩を単色としたが、係止具５の切離部５１ごとに色彩を替えることもできる。
特に、開封回数が多くなった場合には、多数の係止具５の切離部５１が収納室４１２に収納されるため、収納された係止具５の切離部５１の色彩が異なることにより、色数又は色彩別に係止具５の切離部５１を計数することで、容易に、主基板ケース１の開放回数を把握することができる。
【００３３】
以上述べてきたように、本実施形態に係る主基板ケース１によれば、開封の痕跡を明瞭に残しつつ、封止構造の開封回数を容易に把握できるとともに、封止構造の省スペース化を図ることができる。
【００３４】
［第二実施形態］
次に、本発明に係る遊技機用基板ケースの第二実施形態について、図５，図６を参照しつつ説明する。
図５は、本実施形態に係る遊技機用基板ケースの概略斜視図であり、図６は、本実施形態に係る封止構造の概略断面図である。
同図に示す本実施形態に係る遊技機用基板ケースは、上述した第一実施形態の変形実施形態であり、係止具と収納室の構造が異なる構成となっている。
従って、その他の構成部分は、第一実施形態と同様となっており、同様の構成部分については、図中で第一実施形態と同一符号を付し、詳細な説明は省略する。
【００３５】
本実施形態に係る主基板ケース１は、第一実施形態に係る主基板ケース１の同様にスロットマシン１００全体を制御し、所定の電子部品の実装された主基板２と、主基板２を開閉可能に収容する上側ケース３及び下側ケース４と、本発明に係る係止具５から構成されており、上側ケース３の封止部３１の形状と下側ケース４の封止部４１の形状及び係止具５の形状が第一実施形態に係る主基板ケース１と異なるようになっている。
したがって、以下の説明は、これらの異なる部分の特徴的な記載にとどめるものとし、主基板２の構成に関しては、第一実施形態と同様なため省略する。
以下に、各部材の特徴的な構成について詳述する。
【００３６】
［上側ケース］
まず、上側ケース３の封止部３１は、図５に示す例では、側壁右側に形成されており、第一実施形態と同様な構成からなる封止孔３１１が穿設されている。
そして、上側ケース３と後述する下側ケース４が嵌合されることで、封止孔３１１と後述する下側ケース４の封止孔４１１が連通するようになっている。
【００３７】
［下側ケース］
次に、下側ケース４の封止部４１は、図５に示す例では、下側ケース４の側壁右側に上下方向に有底角通路状に形成されており、上面には、封止孔４１１が開設されている。
封止部４１には、係止具５の切離部５１を収納する収納室４１２が設けられている。
収納室４１２は、後述する係止具５の切離部５１が通過可能な切離部５１の外形と同等な形状の通路を形成しており、すなわち角状の通路で形成されている。
これにより、係止具５の切離部５１が、通路に連なって収納されるため、係止具５の切離部５１の計数を迅速に行うことができ、主基板ケース１の開封回数の把握が、更に容易になる。
また、収納室４１２は、主基板ケース１がスロットマシン１００に配設された状態において、重力が作用する方向に所定の空間をもって形成されているため（図６参照）、係止具５の切離部５１は、重力の作用により、図６の下方に向けて落下するようになっている。
また、収納室４１２には、後述する係止具５の切離部５１の上面と係合する爪部４１２ａが内周壁四面に設けられている。
【００３８】
［係止具］
次に、係止具５は、上側ケース３と下側ケース４を開閉不能に封止するとともに、係止具５の切断部５２が切断されることで封止を解除することができる部材である。
図５に示す例では、係止具５の頭部５３には、マイナスのドライバが嵌入可能となるように溝部５３１が設けられているとともに、切離部５１は、立方体に形成されている。
このような構成とすることにより、封止解除が、容易にできるようになっている。
具体的には、図６に示すように、係止具５により、上側ケース３と下側ケース４が封止された状態において、切離部５１は、下側ケース４に設けられた収納室４１２の角状通路により、回動が制限されている。
このような状態において、マイナスのドライバによる回転外力を係止具５の頭部５３に形成された溝部５３１を介して係止具５に加えると、頭部５３は、外力を受けて回動するのに対して切離部５１は、下側ケース４の収納室４１２の内側壁面により、回動が制限されている。
そして、さらに回転外力を加えることで、比較的脆弱に形成された切断部５２を境に切断されることとなる。
その結果、切離部５１は頭部５３と分断され、封止構造が封止解除されるとともに、分断された切離部５１は、自重により落下し、通路状に形成された収納室４１２に連なって堆積され収納される。
なお、係止具５による上側ケース３と下側ケース４を封止する構成に関しては、第一実施形態と同様な構成なので省略するものとする。
【００３９】
以上述べてきたように、本実施形態に係る主基板ケース１によれば、開封の痕跡を明瞭に残しつつ、封止構造の開封回数を容易に把握できるとともに、封止構造の省スペース化を図ることができる。
【００４０】
以上、本発明の遊技機用基板ケースについて、好ましい実施形態を示して説明したが、本発明に係る遊技機用基板ケースは、上述した実施形態にのみ限定されるものではなく、本発明の範囲で種々の変更実施が可能であることは言うまでもない。
【００４１】
例えば、保護対象となる回路基板も主基板に限定されるものではなく、副基板や周辺基板など遊技機に配設される全ての回路基板に適用することができる。
さらに、対象となる遊技機もスロットマシンに限定されるものではなく、パチンコ機やアレンジボール機、雀球機等の回路基板を備える全ての遊技機に適用可能である。
【産業上の利用可能性】
【００４２】
本発明は、遊技機に取り付けられる回路基板を保護する遊技機用基板ケースとして広く利用することができる。
【図面の簡単な説明】
【００４３】
【図１】本発明の第一実施形態に係る遊技機用基板ケースを示す概略斜視図である。
【図２】本発明の第一実施形態に係る遊技機用基板ケースを配設した状態を示す遊技機の概略斜視図である。
【図３】本発明の第一実施形態に係る封止構造の概略断面図である。
【図４】本発明の第一実施形態に係る収納室の概略平面図である。
【図５】本発明の第二実施形態に係る遊技機用基板ケースの概略斜視図である。
【図６】本発明の第二実施形態に係る封止構造の概略断面図である。
【符号の説明】
【００４４】
１  主基板ケース
２  主基板
３  上側ケース
３１  封止部
３１１  封止孔
４  下側ケース
４１  封止部
４１１  封止孔
４１２  収納室
５  係止具
５１  切離部
１００  スロットマシン
１０１  前扉
１０２  筐体
【図１】
2008154692.tif 000003
【図２】
2008154692.tif 000004
【図３】
2008154692.tif 000005
【図４】
2008154692.tif 000006
【図５】
2008154692.tif 000007
【図６】
2008154692.tif 000008